【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
１，１，３−トリフルオロプロパン、
１，３−ジフルオロプロパン、
１，１，１，３，３−ペンタフルオロブタン、
１，１−ジフルオロブタン、
１，３−ジフルオロ−２−メチルプロパン、
１，２−ジフルオロ−２−メチルプロパン、
１，２−ジフルオロブタン、
１，３−ジフルオロブタン、
１，４−ジフルオロブタン、
２，３−ジフルオロブタン、
１，１，１−トリフルオロペンタン、
１，１，１−トリフルオロ−３−メチルブタン、
１，１−ジフルオロペンタン、
１，２−ジフルオロペンタン、
２，２−ジフルオロペンタン、
１，１，１−トリフルオロヘキサン、
３，３，４，４，５，５，６，６，６−ノナフルオロ−１−ヘキセン、
およびそれらの組合せ、
よりなる群から選択されることを特徴とする冷媒または伝熱流体組成物。
【請求項２】
遠心圧縮機を用いる冷凍またはエアコン機器での使用に好適な冷媒または伝熱流体組成物であって、
１，１，３−トリフルオロプロパン、
１，３−ジフルオロプロパン、
１，１，１，３，３−ペンタフルオロブタン、
１，１−ジフルオロブタン、
１，３−ジフルオロ−２−メチルプロパン、
１，２−ジフルオロ−２−メチルプロパン、
１，２−ジフルオロブタン、
１，３−ジフルオロブタン、
１，４−ジフルオロブタン、
２，３−ジフルオロブタン、
１，１，１−トリフルオロペンタン、
１，１，１−トリフルオロ−３−メチルブタン、
１，１−ジフルオロペンタン、
１，２−ジフルオロペンタン、
２，２−ジフルオロペンタン、
１，１，１−トリフルオロヘキサン、
３，３，４，４，５，５，６，６，６−ノナフルオロ−１−ヘキセンおよびそれらの組合せ、
よりなる群から選択されることを特徴とする組成物。
【請求項３】
多段遠心圧縮機、またはシングル・スラブ式／シングル・パス式熱交換機器を用いる冷凍またはエアコン機器での使用に好適な冷媒または伝熱流体組成物であって、
１，１，２，２，３−ペンタフルオロプロパン、
１，１，１，３，３−ペンタフルオロプロパン、
１，１，３−トリフルオロプロパン、
１，１，３−トリフルオロプロパン、
１，３−ジフルオロプロパン、
２−（ジフルオロメチル）−１，１，１，２，３，３−ヘキサフルオロプロパン、
１，１，２，２，３，３，４，４−オクタフルオロブタン、
１，１，１，２，２，４−ヘキサフルオロブタン、
１，１，１，３，３−ペンタフルオロブタン、
１，１−ジフルオロブタン、
１，３−ジフルオロ−２−メチルプロパン、
１，２−ジフルオロ−２−メチルプロパン、
１，２−ジフルオロブタン、
１，３−ジフルオロブタン、
１，４−ジフルオロブタン、
２，３−ジフルオロブタン、
１，１，１，２，３，３，４，４−オクタフルオロ−２−（トリフルオロメチル）ブタン、
１，１，１，２，２，３，３，４，４，５，５−ウンデカフルオロペンタン、
１，１，１，２，２，３，４，５，５，５−デカフルオロペンタン、
１，１，１，２，２，３，３，５，５，５−デカフルオロペンタン、
１，１，１，４，４，４−ヘキサフルオロ−２−（トリフルオロメチル）ブタン、
１，１，１−トリフルオロペンタン、
１，１，１−トリフルオロ−３−メチルブタン、
１，１−ジフルオロペンタン、
１，２−ジフルオロペンタン、
２，２−ジフルオロペンタン、
１，１，１−トリフルオロヘキサン、
１，１，１，２，２，３，３，４，４，５，５，６，６−トリデカフルオロヘキサン、
１，１，１，２，２，５，５，５−オクタフルオロ−４−（トリフルオロメチル）ペンタン、
１，１，２，２−テトラフルオロシクロブタン、
３，３，４，４，５，５，６，６，６−ノナフルオロ−１−ヘキセン、
およびそれらの組合せ、
よりなる群から選択されることを特徴とする組成物。
【手続補正２】
【補正対象書類名】明細書
【補正対象項目名】００９５
【補正方法】変更
【補正の内容】
【００９５】
データは、本発明の組成物がＣＦＣ−１１３に類似のエバポレーターおよび凝縮器圧力を有することを示す。幾つかの組成物はまた、ＣＦＣ−１１３より高いキャパシティおよび／またはエネルギー効率（ＣＯＰによって測定されるように）を有する。
本発明は以下の態様を含む。
（態様１）
１，１，３−トリフルオロプロパン、
１，３−ジフルオロプロパン、
１，１，１，３，３−ペンタフルオロブタン、
１，１−ジフルオロブタン、
１，３−ジフルオロ−２−メチルプロパン、
１，２−ジフルオロ−２−メチルプロパン、
１，２−ジフルオロブタン、
１，３−ジフルオロブタン、
１，４−ジフルオロブタン、
２，３−ジフルオロブタン、
１，１，１−トリフルオロペンタン、
１，１，１−トリフルオロ−３−メチルブタン、
１，１−ジフルオロペンタン、
１，２−ジフルオロペンタン、
２，２−ジフルオロペンタン、
１，１，１−トリフルオロヘキサン、
３，３，４，４，５，５，６，６，６−ノナフルオロ−１−ヘキセン、
およびそれらの組合せ、
よりなる群から選択されることを特徴とする冷媒または伝熱流体組成物。
（態様２）
遠心圧縮機を用いる冷凍またはエアコン機器での使用に好適な冷媒または伝熱流体組成物であって、
１，１，３−トリフルオロプロパン、
１，３−ジフルオロプロパン、
１，１，１，３，３−ペンタフルオロブタン、
１，１−ジフルオロブタン、
１，３−ジフルオロ−２−メチルプロパン、
１，２−ジフルオロ−２−メチルプロパン、
１，２−ジフルオロブタン、
１，３−ジフルオロブタン、
１，４−ジフルオロブタン、
２，３−ジフルオロブタン、
１，１，１−トリフルオロペンタン、
１，１，１−トリフルオロ−３−メチルブタン、
１，１−ジフルオロペンタン、
１，２−ジフルオロペンタン、
２，２−ジフルオロペンタン、
１，１，１−トリフルオロヘキサン、
３，３，４，４，５，５，６，６，６−ノナフルオロ−１−ヘキセンおよびそれらの組合せ、
よりなる群から選択されることを特徴とする組成物。
（態様３）
多段遠心圧縮機、またはシングル・スラブ式／シングル・パス式熱交換機器を用いる冷凍またはエアコン機器での使用に好適な冷媒または伝熱流体組成物であって、
１，１，２，２，３−ペンタフルオロプロパン、
１，１，１，３，３−ペンタフルオロプロパン、
１，１，３−トリフルオロプロパン、
１，１，３−トリフルオロプロパン、
１，３−ジフルオロプロパン、
２−（ジフルオロメチル）−１，１，１，２，３，３−ヘキサフルオロプロパン、
１，１，２，２，３，３，４，４−オクタフルオロブタン、
１，１，１，２，２，４−ヘキサフルオロブタン、
１，１，１，３，３−ペンタフルオロブタン、
１，１−ジフルオロブタン、
１，３−ジフルオロ−２−メチルプロパン、
１，２−ジフルオロ−２−メチルプロパン、
１，２−ジフルオロブタン、
１，３−ジフルオロブタン、
１，４−ジフルオロブタン、
２，３−ジフルオロブタン、
１，１，１，２，３，３，４，４−オクタフルオロ−２−（トリフルオロメチル）ブタン、
１，１，１，２，２，３，３，４，４，５，５−ウンデカフルオロペンタン、
１，１，１，２，２，３，４，５，５，５−デカフルオロペンタン、
１，１，１，２，２，３，３，５，５，５−デカフルオロペンタン、
１，１，１，４，４，４−ヘキサフルオロ−２−（トリフルオロメチル）ブタン、
１，１，１−トリフルオロペンタン、
１，１，１−トリフルオロ−３−メチルブタン、
１，１−ジフルオロペンタン、
１，２−ジフルオロペンタン、
２，２−ジフルオロペンタン、
１，１，１−トリフルオロヘキサン、
１，１，１，２，２，３，３，４，４，５，５，６，６−トリデカフルオロヘキサン、
１，１，１，２，２，５，５，５−オクタフルオロ−４−（トリフルオロメチル）ペンタン、
１，１，２，２−テトラフルオロシクロブタン、
３，３，４，４，５，５，６，６，６−ノナフルオロ−１−ヘキセン、
およびそれらの組合せ、
よりなる群から選択されることを特徴とする組成物。
（態様４）
多段遠心圧縮機を用いる冷凍またはエアコン機器において、熱または冷却をもたらすことを含むことを特徴とする上記態様３に記載の組成物の使用方法。
（態様５）
冷却される物体の近傍で上記態様１〜４のいずれか一つに記載の組成物を蒸発させ、その後、前記組成物を凝縮させる工程を含むことを特徴とする冷却をもたらすための方法。
（態様６）
加熱される物体の近傍で上記態様１〜４のいずれか一つに記載の組成物を凝縮させ、その後、前記組成物を蒸発させる工程を含むことを特徴とする熱をもたらすための方法。
（態様７）
前記組成物を熱源からヒートシンクへ移す工程を含むことを特徴とする、伝熱のための上記態様１〜４のいずれか一つに記載の組成物の使用方法。
（態様８）
ナフタルイミド、ペリレン、クマリン、アントラセン、フェナンスラセン（ｐｈｅｎａｎｔｈｒａｃｅｎｅｓ）、キサンテン、チオキサンテン、ナフトキサンテン、フルオレセイン、前記染料の誘導体、およびそれらの組合せよりなる群から選択された少なくとも１つの紫外線蛍光染料をさらに含むことを特徴とする上記態様１に記載の組成物。
（上記態様９）
ナフタルイミド、ペリレン、クマリン、アントラセン、フェナンスラセン（ｐｈｅｎａｎｔｈｒａｃｅｎｅｓ）、キサンテン、チオキサンテン、ナフトキサンテン、フルオレセイン、前記染料の誘導体およびそれらの組合せよりなる群から選択された少なくとも１つの紫外線蛍光染料をさらに含むことを特徴とする上記態様２〜４のいずれか一つに記載の組成物。
（態様１０）
炭化水素、炭化水素エーテル、ポリオキシアルキレングリコールエーテル、アミド、ケトン、ニトリル、クロロカーボン、エステル、ラクトン、アリールエーテル、フルオロエーテル、および１，１，１−トリフルオロアルカンよりなる群から選択された少なくとも１つの可溶化剤をさらに含み、冷媒および可溶化剤が同じ化合物ではないことを特徴とする上記態様８に記載の組成物。
（態様１１）
前記可溶化剤が、
ａ）式Ｒ１［（ＯＲ２）ｘＯＲ３］ｙ（式中、ｘが１〜３の整数であり、ｙが１〜４の整数であり、Ｒ１が水素および１〜６個の炭素原子とｙ個の結合部位とを有する脂肪族炭化水素基から選択され、Ｒ２が２〜４個の炭素原子を有する脂肪族ヒドロカルビレン基から選択され、Ｒ３が水素、ならびに１〜６個の炭素原子を有する脂肪族および脂環式炭化水素基から選択され、Ｒ１およびＲ３の少なくとも１つが前記炭化水素基から選択される）で表され、約１００〜約３００原子質量単位の分子量を有するポリオキシアルキレングリコールエーテル、
ｂ）式Ｒ１ＣＯＮＲ２Ｒ３およびｃｙｃｌｏ−［Ｒ４ＣＯＮ（Ｒ５）−］（式中、Ｒ１、Ｒ２、Ｒ３およびＲ５が独立して１〜１２個の炭素原子を有する脂肪族および脂環式炭化水素基、ならびに６〜１２個の炭素原子を有する多くても１つの芳香族基から選択され、Ｒ４が３〜１２個の炭素原子を有する脂肪族ヒドロカルビレン基から選択される）で表され、約１００〜約３００原子質量単位の分子量を有するアミド、
ｃ）式Ｒ１ＣＯＲ２（式中、Ｒ１およびＲ２が独立して１〜１２個の炭素原子を有する脂肪族、脂環式およびアリール炭化水素基から選択される）で表され、約７０〜約３００原子質量単位の分子量を有するケトン、
ｄ）式Ｒ１ＣＮ（式中、Ｒ１が５〜１２個の炭素原子を有する脂肪族、脂環式またはアリール炭化水素基から選択される）で表され、約９０〜約２００原子質量単位の分子量を有するニトリル、
ｅ）式ＲＣｌｘ（式中、ｘが整数１または２から選択され、Ｒが１〜１２個の炭素原子を有する脂肪族および脂環式炭化水素基から選択される）で表され、約１００〜約２００原子質量単位の分子量を有するクロロカーボン、
ｆ）式Ｒ１ＯＲ２（式中、Ｒ１が６〜１２個の炭素原子を有するアリール炭化水素基から選択され、Ｒ２が１〜４個の炭素原子を有する脂肪族炭化水素基から選択される）で表され、約１００〜約１５０原子質量単位の分子量を有するアリールエーテル、
ｇ）式ＣＦ３Ｒ１（式中、Ｒ１が約５〜約１５個の炭素原子を有する脂肪族および脂環式炭化水素基から選択される）で表される１，１，１−トリフルオロアルカン、
ｉ）式Ｒ１ＯＣＦ２ＣＦ２Ｈ（式中、Ｒ１が約５〜約１５個の炭素原子を有する脂肪族および脂環式炭化水素基から選択される）で表されるフルオロエーテル、および
ｊ）構造［Ｂ］、［Ｃ］、および［Ｄ］
【化１】
2007517970.tif 000001
（Ｒ１〜Ｒ８が独立して水素、線状、分岐、環式、二環式、飽和および不飽和のヒドロカルビル基から選択される）で表され、分子量が約１００〜約３００原子質量単位であるラクトン、ならびに
ｋ）一般式Ｒ１ＣＯ２Ｒ２（式中、Ｒ１およびＲ２が独立して線状および環式の、飽和および不飽和の、アルキルおよびアリール基から選択される）で表され、約８０〜約５５０原子質量単位の分子量を有するエステル、
よりなる群から選択されることを特徴とする上記態様１０に記載の組成物。
（態様１２）
上記態様１０に記載の組成物の使用方法であって、
前記組成物を、
（ａ）（ｉ）紫外線蛍光染料を、可溶化剤の存在下に伝熱流体の冷媒組成物に溶解させ、該組合せを前記圧縮冷凍もしくはエアコン機器へ導入することによって、または
（ｉｉ）可溶化剤とＵＶ蛍光染料とを組み合わせ、そして前記組合せを冷媒および／または伝熱流体を含有する冷凍もしくはエアコン機器へ導入することによって、
圧縮冷凍またはエアコン機器へ導入する工程を含むことを特徴とする使用方法。
（態様１３）
前記組成物を前記機器に提供する工程と、前記機器の近傍で前記組成物を検出するための好適な手段を提供する工程とを含むことを特徴とする、圧縮冷凍またはエアコン機器における上記態様８または１０に記載の組成物の使用方法。
（態様１４）
（ｉ）冷却される物体の近傍で前記組成物を蒸発させ、その後、前記組成物を凝縮させることによって冷却をもたらす工程、または
（ｉｉ）加熱される物体の近傍で前記組成物を凝縮させ、その後前記組成物を蒸発させることによって熱をもたらす工程
を含むことを特徴とする上記態様８または１０に記載の組成物の使用方法。
（態様１５）
臭気マスキング剤または熱安定剤をさらに含むことを特徴とする上記態様１０に記載の組成物。
（態様１６）
前記多段遠心圧縮機が２段遠心圧縮機であることを特徴とする上記態様４に記載の方法。